(57)【要約】【課題】防火性能の向上を図ることができる下地金物、下地金物を具備する防火構造及び下地金物の装着方法を提供する。【解決手段】外壁から突出するパネル支持部３２に装着可能な下地金物１００であって、パネル支持部３２を周方向に囲繞する略環状に形成され、パネル支持部３２に装着された状態において前記パネル支持部３２に挿通される切欠き部１１０と、切欠き部１１０の内縁と前記下地金物１００の外縁とを連通するスリット部１２０と、具備する。【選択図】図２
2018053656.tif 000002
【特許請求の範囲】
【請求項１】
壁から突出する腕木に装着可能な下地金物であって、
前記腕木を周方向に囲繞する略環状に形成され、
前記腕木に装着された状態において前記腕木に挿通される切欠き部と、
前記切欠き部の内縁と前記下地金物の外縁とを連通するスリット部と、
を具備する、
下地金物。
【請求項２】
前記スリット部は、
前記腕木に装着された状態において、前記腕木の上方に位置するように形成されている、
請求項１に記載の下地金物。
【請求項３】
前記腕木に装着された状態において、前記腕木に支持可能な支持部をさらに具備する、
請求項１又は２に記載の下地金物。
【請求項４】
前記スリット部の幅は、
前記腕木の幅よりも小さく形成されている、
請求項１から請求項３までのいずれか一項に記載の下地金物。
【請求項５】
シーリング用の下地金物を兼ねる、
請求項１から請求項４までのいずれか一項に記載の下地金物。
【請求項６】
壁から突出する腕木に装着可能な下地金物を具備し、
前記腕木は、前記壁の目地から突出し、
前記下地金物は、前記腕木に装着された状態において、前記腕木の周囲の目地を覆うように配置されている、
防火構造。
【請求項７】
壁から突出する腕木に装着可能な下地金物であって、
前記腕木を周方向に囲繞する略環状に形成され、
前記腕木に装着された状態において前記腕木に挿通される切欠き部と、
前記切欠き部の内縁と前記下地金物の外縁とを連通するスリット部と、
を具備する前記下地金物を前記腕木に装着する装着方法であって、
前記下地金物を弾性変形させて前記スリット部を挟んだ一側部と他側部とを互いに離間する方向へ移動させる第一の工程と、
前記スリット部を介して前記腕木を前記切欠き部内へと案内する第二の工程と、
前記切欠き部内に前記腕木を挿通させた状態で前記下地金物を弾性変形させる前の状態に戻す第三の工程と、
を具備する、
下地金物の装着方法。
【発明の詳細な説明】
【技術分野】
【０００１】
本発明は、壁から突出する腕木に装着可能な下地金物、下地金物を具備する防火構造及び下地金物の装着方法の技術に関する。
【背景技術】
【０００２】
従来、壁から突出する腕木に装着可能な下地金物は公知となっている。例えば、特許文献１に記載の如くである。
【０００３】
特許文献１には、腕木の基端部に挿通可能な縦溝が形成された底板部と、底板部の上縁及び左右両側縁から前方に迫り出す上枠部及び左右両枠部と、各枠部の前縁から底板部と略平行に前方に延出された前板部とを具備する下地金物が記載されている。このような下地金物においては、腕木の基端部を上方から縦溝に挿通させることにより、当該腕木に装着することができる。
【０００４】
しかしながら、特許文献１に記載の技術は、下地金物が腕木に装着された場合であっても当該腕木の下方に下地金物が配置されないため、防火性能の向上の観点から改善の余地があった。
【先行技術文献】
【特許文献】
【０００５】
【特許文献１】特開２００５−３３６７１５号公報
【発明の概要】
【発明が解決しようとする課題】
【０００６】
本発明は、以上の如き状況を鑑みてなされたものであり、その解決しようとする課題は防火性能の向上を図ることができる下地金物、下地金物を具備する防火構造及び下地金物の装着方法を提供するものである。
【課題を解決するための手段】
【０００７】
本発明の解決しようとする課題は以上の如くであり、次にこの課題を解決するための手段を説明する。
【０００８】
即ち、壁から突出する腕木に装着可能な下地金物であって、前記腕木を周方向に囲繞する略環状に形成され、前記腕木に装着された状態において前記腕木に挿通される切欠き部と、前記切欠き部の内縁と前記下地金物の外縁とを連通するスリット部と、を具備するものである。
【０００９】
また、前記腕木に装着された状態において、前記腕木の上方に位置するように形成されていることとしてもよい。
このような構成により、腕木の下方から前記腕木に装着することができる。
【００１０】
また、前記腕木に装着された状態において、前記腕木に支持可能な支持部をさらに具備することとしてもよい。
このような構成により、腕木に装着する際の作業効率を向上させることができる。
【００１１】
また、前記スリット部の幅は、前記腕木の幅よりも小さく形成されていることとしてもよい。
このような構成により、腕木に装着する際の作業効率をより向上させることができる。
【００１２】
また、シーリング用の下地金物を兼ねることとしてもよい。
このような構成により、腕木の四方にシーリングを施すことができる。
【００１３】
また、壁から突出する腕木に装着可能な下地金物を具備し、前記腕木は、前記壁の目地から突出し、前記下地金物は、前記腕木に装着された状態において、前記腕木の周囲の目地を覆うように配置されているものである。
【００１４】
また、壁から突出する腕木に装着可能な下地金物であって、前記腕木を周方向に囲繞する略環状に形成され、前記腕木に装着された状態において前記腕木に挿通される切欠き部と、前記切欠き部の内縁と前記下地金物の外縁とを連通するスリット部と、を具備する前記下地金物を前記腕木に装着する装着方法であって、前記下地金物を弾性変形させて前記スリット部を挟んだ一側部と他側部とを互いに離間する方向へ移動させる第一の工程と、前記スリット部を介して前記腕木を前記切欠き部内へと案内する第二の工程と、前記切欠き部内に前記腕木を挿通させた状態で前記下地金物を弾性変形させる前の状態に戻す第三の工程と、を具備するものである。
【発明の効果】
【００１５】
本発明の効果として、以下に示すような効果を奏する。
【００１６】
防火性能の向上を図ることができる。
【図面の簡単な説明】
【００１７】
【図１】本実施形態に係る外壁構造を示した側面断面図。
【図２】同じく、胴差面材を取り付ける前の外壁構造を示した正面図。
【図３】同じく、図２において胴差面材を取り付けた後の外壁構造を示した正面図。
【図４】同じく、下地金物を取り付ける前の外壁構造を示した斜視図。
【図５】同じく、図４において下地金物を取り付けた後の外壁構造を示した斜視図。
【図６】同じく、図５において胴差面材を取り付けた後の外壁構造を示した斜視図。
【図７】同じく、下地金物を示した正面図。
【図８】同じく、下地金物パネル支持部への装着方法を示したフローチャート。
【図９】（ａ）同じく、下地金物パネル支持部への装着方法を示した図。（ａ）図９（ａ）の続きを示した図。
【図１０】（ａ）図９（ｂ）の続きを示した図。（ａ）図１０（ａ）の続きを示した図。
【図１１】同じく、外壁構造の目地にシーリングを施した状態の一例を示した図。
【発明を実施するための形態】
【００１８】
以下では、図中の矢印に基づいて、前後方向、上下方向及び左右方向を定義して説明を行う。
【００１９】
まず、図１から図６を用いて、下地金物１００が用いられる建物の外壁構造１の概略構成について説明する。
【００２０】
なお、各図面においては、説明の便宜上、部材の図示を適宜省略している。
【００２１】
前記建物は、例えば２階建ての住宅である。図１に示す外壁構造１は、前記住宅の１階部分と２階部分との間の階間部において、後述する庇３０が設けられた外壁の構造を示している。外壁構造１は、主として胴差１０、パネルフレーム２０、庇３０、外壁部材４０及び下地金物１００により構成される。
【００２２】
胴差１０は、上フランジ１１及び下フランジ１２を有したＨ型鋼により構成される。胴差１０は、後述する庇３０を支持する。胴差１０は、長手方向を左右方向（図１の紙面手前側から紙面奥側）へ向けて配置される。胴差１０の上フランジ１１と下フランジ１２との間における前側には、断熱材１３が設けられる。胴差１０には、庇３０が取り付けられるための胴差側取付部１４が設けられる。
【００２３】
胴差側取付部１４は、板面を前後方向へ向けた板状に形成される。胴差側取付部１４は、胴差１０の外側端部に配置され、当該胴差側取付部１４の上下端部がそれぞれ上フランジ１１及び下フランジ１２に溶接等で固定される。胴差側取付部１４は、正面視で、後述する左右方向に並んだ１つの外壁面材（上下一対の上外壁面材４１及び下外壁面材４２）と、１つの外壁面材（上下一対の上外壁面材４１及び下外壁面材４２）と、の間に形成される。
【００２４】
パネルフレーム２０は、溝型鋼からなる横フレームと縦フレームとにより四角枠状に構成される。パネルフレーム２０の内側には、断熱材２１が設けられる。パネルフレーム２０は、胴差１０の上方及び下方にそれぞれ配置され、当該胴差１０と図示せぬボルトにより固定される。
【００２５】
庇３０は、外壁から突出された小型の屋根である。庇３０は、主として庇側取付部３１、パネル支持部３２及び屋根パネル３３を具備する。
【００２６】
庇側取付部３１は、庇３０を胴差１０に取り付けるための部分である。庇側取付部３１は、板面を前後方向へ向けた板状に形成される。庇側取付部３１は、上下方向において胴差側取付部１４よりも若干小さく形成される。
【００２７】
パネル支持部３２は、屋根パネル３３を下方から支持するための部分である。パネル支持部３２は、庇側取付部３１から前下方向へ向けて延びるようなアーム状に形成される。パネル支持部３２の基端部３４（庇側取付部３１近傍）は、板面を左右方向へ向けた板状に形成される。パネル支持部３２の基端部３４は、左右方向において庇側取付部３１の中央に配置される。なお、パネル支持部３２の基端部３４以外の部分（以下では、本体部３５と称する）は、屋根パネル３３を載置するため、左右方向の幅が基端部よりも大きく形成される。パネル支持部３２の基端部３４の前後方向の長さは、本体部３５と比べて非常に小さく形成される。パネル支持部３２は、庇側取付部３１に溶接等で固定される。
【００２８】
屋根パネル３３は、庇３０の屋根となる部分である。屋根パネル３３は、パネル支持部３２に上方から載置される。屋根パネル３３は、パネル支持部３２にボルト等により固定される。
【００２９】
上述の如き構成の庇３０は、外壁構造１において胴差１０に取り付けられる。具体的には、まずパネル支持部３２及び（当該パネル支持部３２に固定された）庇側取付部３１が準備され、当該庇側取付部３１が胴差１０の胴差側取付部１４と互いに位置を合わせて配置される。そして、庇側取付部３１と胴差側取付部１４とがボルト等により互いに固定され、パネル支持部３２及び庇側取付部３１が胴差１０に取り付けられる。次に、屋根パネル３３が準備され、ボルト等によりパネル支持部３２に固定される。これによって、庇３０は、胴差１０に取り付けられることとなる。
【００３０】
なお、上述の如く、胴差側取付部１４は、正面視で、左右方向に並んだ１つの外壁面材（上下一対の上外壁面材４１及び下外壁面材４２）と、１つの外壁面材（上下一対の上外壁面材４１及び下外壁面材４２）と、の間に形成される。したがって、図２に示すように、当該胴差側取付部１４に位置を合わせて配置される庇側取付部３１、及び、左右方向において当該庇側取付部３１の中央に配置されるパネル支持部３２（より詳細には、パネル支持部３２の基端部３４）は、同様に前記左右方向に並んだ１つの外壁面材と、１つの外壁面材と、の間に形成される。このように、パネル支持部３２は、外壁における目地から延びるように形成されている。
【００３１】
外壁部材４０は、屋外空間と屋内空間とを仕切る外壁面である。外壁部材４０は、主として上外壁面材４１、下外壁面材４２及び胴差面材４３を具備する。
【００３２】
上外壁面材４１は、上階（２階）の外壁面である。上外壁面材４１の下端部の内側面には、下側下地板４１ａが設けられる。上外壁面材４１は、左右方向に並ぶように複数配置される。
【００３３】
下外壁面材４２は、下階（１階）の外壁面である。下外壁面材４２の上端部の内側面には、上側下地板４２ａが設けられる。下外壁面材４２は、左右方向に並ぶように複数配置される。下外壁面材４２は、上外壁面材４１と略同一の大きさに形成され、一つの下外壁面材４２と一つの上外壁面材４１とが上下一対となるように左右方向に位置を合わせて配置される。
【００３４】
胴差面材４３は、前記階間部の外壁面である。胴差面材４３は、胴差１０の前方に配置される。胴差面材４３の上部は、前後方向において上外壁面材４１の下側下地板４１ａと重複する。胴差面材４３は、上外壁面材４１の下側下地板４１ａに所定の金具やビス等を介して固定される。また、胴差面材４３の下部は、前後方向において下外壁面材４２の上側下地板４２ａと重複する。胴差面材４３は、下外壁面材４２の上側下地板４２ａに所定の金具やビス等を介して固定される。なお、胴差面材４３の側部には、庇３０のパネル支持部３２との干渉を回避するための凹部４４が形成される（図３参照）。
【００３５】
下地金物１００は、庇３０のパネル支持部３２に装着されるものである。なお、下地金物１００の構成についての詳細な説明は後述する。
【００３６】
このような構成の外壁構造１においては、庇３０を設けることができ、１階部分（例えば玄関等）の日よけや雨よけを行うことができる。
【００３７】
以下では、図７を用いて、下地金物１００の構成について詳細に説明する。
【００３８】
下地金物１００は、上述の如く、庇３０のパネル支持部３２に装着されるものである。より詳細には、下地金物１００は、後述する切欠き部１１０内にパネル支持部３２を挿通させることで、当該パネル支持部３２に装着されるものである。下地金物１００は、金属製の薄い板状に形成される。下地金物１００は、正面視で上下方向に細長い略矩形状に形成される。下地金物１００は、主として切欠き部１１０、スリット部１２０、支持部１３０、膨出部１４０及びネジ孔１５０を具備する。
【００３９】
切欠き部１１０は、下地金物１００の上部が切り欠かれた部分（開口部）である。切欠き部１１０は、下地金物１００を前後方向に貫通するように形成される。切欠き部１１０は、正面視で上下方向に細長い略矩形状に形成される。切欠き部１１０は、上端部近傍から上下方向中央部に亘って長く延びるように形成される。切欠き部１１０の左右方向幅は、庇３０のパネル支持部３２の基端部３４の左右方向幅よりも若干長く形成される。切欠き部１１０の上下方向幅は、庇３０のパネル支持部３２の基端部３４の上下方向幅よりも若干長く形成される。すなわち、切欠き部１１０は、パネル支持部３２の基端部３４を収容可能な大きさに形成される。
【００４０】
スリット部１２０は、下地金物１００の上端部に形成された切れ目である。スリット部１２０は、切欠き部１１０の左上端部から下地金物１００の上端部まで、上方へ延びるように形成される。こうして、スリット部１２０は、切欠き部１１０の内縁と下地金物１００の外縁とを連通するように形成される。スリット部１２０は、左右方向幅（隙間）が非常に小さく（ほとんど無いように）形成される。また、スリット部１２０の左右方向幅は、パネル支持部３２の基端部３４の左右方向幅よりも小さく形成される。
【００４１】
支持部１３０は、下地金物１００の上端部である。より詳細には、支持部１３０は、スリット部１２０の右方の部分である。
【００４２】
なお以下では、便宜上、下地金物１００の上端部であって、支持部１３０ではない部分（スリット部１２０の左方の部分）を、非支持部１６０と称する。
【００４３】
膨出部１４０は、下地金物１００の一部が前方向に膨らんだ部分である。膨出部１４０は、切欠き部１１０の下端部から下地金物１００の下端部まで、下方へ延びるように形成される。膨出部１４０の左右方向幅は、切欠き部１１０の左右方向幅と略同一となるように形成される。
【００４４】
ネジ孔１５０は、下地金物１００を取り付ける際に、ネジ１５１が挿通される孔である（図５参照）。ネジ孔１５０は、下地金物１００の下端部近傍に２つ形成される。
【００４５】
このような構成の下地金物１００は、切欠き部１１０により全体として略環状に形成され、庇３０のパネル支持部３２を周方向に囲繞可能に構成される。また、下地金物１００は、パネル支持部３２に装着された状態で、外壁部材４０に取り付けられる。
【００４６】
なお、本実施形態において、下地金物１００がパネル支持部３２に装着される場合、パネル支持部３２には既に屋根パネル３３が固定されている。すなわち、パネル支持部３２の上方は当該屋根パネル３３と干渉するため、下地金物１００は当該パネル支持部３２の下方から装着する必要がある。なお、下地金物１００のパネル支持部３２への装着は、胴差面材４３が取り付けられる前に行われる。
【００４７】
以下では、図８のフローチャート、図９及び図１０を用いて、下地金物１００のパネル支持部３２への装着方法について説明する。
【００４８】
なお、図９及び図１０においては、便宜上、各部材の構成を模式的に示している。
【００４９】
また、本実施形態において、下地金物１００のパネル支持部３２への装着には、下地金物１００の切欠き部１１０にパネル支持部３２を挿通させること、及び、パネル支持部３２を切欠き部１１０に挿通させた状態の下地金物１００を外壁部材４０に取り付けること、が含まれる。
【００５０】
まず、下地金物１００を、スリット部１２０を上方へ向けた姿勢で、パネル支持部３２の基端部３４の下方へ配置させる（ステップＳ１０１）。次に、下地金物１００を捻るように力を加える。こうして、下地金物１００が捻られて弾性変形する（図９（ａ）参照）。こうして、下地金物１００が捻られて弾性変形した場合、下地金物１００の上端部においてスリット部１２０よりも右側（すなわち、支持部１３０）と左側（すなわち、非支持部１６０）とが、互いに離間する方向へと移動する（ステップＳ１０２）。このように、下地金物１００が捻られて弾性変形した場合、弾性変形する前と比べてスリット部１２０の隙間が大きくなる。
【００５１】
こうして、スリット部１２０の隙間を大きくした後、下地金物１００の姿勢を左右方向や前後方向に適宜傾けながら、下地金物１００を上方へ移動させる（図９（ｂ）参照）。こうして、大きくしたスリット部１２０の隙間を介して、パネル支持部３２の基端部３４を切欠き部１１０内へと案内する（ステップＳ１０３）。なお、上述の如く、パネル支持部３２の基端部３４の前後方向の幅が非常に狭いが、スリット部１２０の隙間を大きくした状態で、下地金物１００の姿勢を適宜傾けることにより、パネル支持部３２の基端部３４を容易に切欠き部１１０内へと案内することができる。こうして、パネル支持部３２の基端部３４が切欠き部１１０内に挿通される。なお、下地金物１００の姿勢は、弾性変形した後ではなく、弾性変形する前に傾けるものであってもよい。
【００５２】
次に、下地金物１００に加えていた力をなくす。こうして、下地金物１００には復元力が発生し、当該下地金物１００の捻りが解消される。すなわち、下地金物１００は、弾性変形が戻され、捻られていない状態（捻られる前の状態）となる（ステップＳ１０４）。また、下地金物１００の傾いた姿勢を元の姿勢（板面が前後方向を向いた姿勢）へと戻す（図１０（ａ）参照）。なお、下地金物１００の姿勢は、当該下地金物１００の捻りが解消された後ではなく、捻りが解消される前に元に戻すものであってもよい。
【００５３】
次に、下地金物１００を外壁部材４０側へと移動させ、当該外壁部材４０の所定の取付位置に配置させる（図１０（ｂ）参照）。所定の取付位置に下地金物１００が配置されると、当該下地金物１００を外壁部材４０に取り付ける（ステップＳ１０４）。
【００５４】
なお、下地金物１００を外壁部材４０に取り付ける際には、支持部１３０をパネル支持部３２の上端部に支持させることができる。こうして、下地金物１００が外壁部材４０に固定されるまでの間、当該下地金物１００の仮設置を行うことができる。したがって、下地金物１００の切欠き部１１０内にパネル支持部３２を挿通させた後、ネジ１５１を用いた当該下地金物１００の固定作業を開始するまでの間において、作業者は下地金物１００が落下しないように手で押させておく必要がない。これによって、下地金物１００を外壁部材４０に取り付ける作業者の作業効率を向上させることができる。ここで、上述の如く、スリット部１２０の左右方向幅は、パネル支持部３２の基端部３４の左右方向幅よりも小さく形成される。すなわち、支持部１３０をパネル支持部３２の上端部に支持させて作業を行う場合に、支持部１３０（下地金物１００）がスリット部１２０を介して脱落するのを抑制することができる。
【００５５】
なお、下地金物１００の外壁部材４０への取り付け（下地金物１００の取付構造）についての詳細な説明は後述する。
【００５６】
このように、下地金物１００を捻るように力を加えることによりスリット部１２０の隙間を大きくすることができるため、パネル支持部３２の基端部３４を容易に切欠き部１１０内へと挿通させることができる。なお、下地金物１００に捻るように力を加えるのではなく、例えば下地金物１００の上端部において、支持部１３０と非支持部１６０とを互いに離間する方向へ向けて引っ張ることにより、スリット部１２０の隙間を大きくしてもよい。
【００５７】
次に、図１から図６を用いて、下地金物１００の取付構造（防火構造）について詳細に説明する。
【００５８】
下地金物１００は、胴差１０の前方であって、胴差面材４３の後方に配置される。また、下地金物１００は、切欠き部１１０内にパネル支持部３２を挿通される。こうして、下地金物１００は、切欠き部１１０内にパネル支持部３２が挿通されることによって、当該パネル支持部３２に装着される。したがって、下地金物１００は、正面視でパネル支持部３２（さらには、当該パネル支持部３２に固定された庇側取付部３１）と重複するように配置される。こうして、下地金物１００は、正面視で、左右方向に並んだ１つの外壁面材（上下一対の上外壁面材４１及び下外壁面材４２）と、１つの外壁面材（上下一対の上外壁面材４１及び下外壁面材４２）と、の間に形成される。
【００５９】
下地金物１００の上端部は、上外壁面材４１の下側下地板４１ａの下端部と当接するように配置される。より詳細には、下地金物１００の左上端部は、左右方向に並んだ２つの上外壁面材４１の下側下地板４１ａのうち、左側の下側下地板４１ａの右下端部に当接するように配置される。また、下地金物１００の右上端部は、左右方向に並んだ２つの上外壁面材４１の下側下地板４１ａのうち、右側の下側下地板４１ａの左下端部に当接するように配置される。
【００６０】
下地金物１００の下端部は、正面視で下外壁面材４２の上側下地板４２ａの上端部と当接するように配置される。より詳細には、下地金物１００の左下端部は、左右方向に並んだ２つの下外壁面材４２の上側下地板４２ａのうち、左側の上側下地板４２ａの右上端部に当接するように配置される。また、下地金物１００の右下端部は、左右方向に並んだ２つの下外壁面材４２の上側下地板４２ａのうち、右側の上側下地板４２ａの左上端部に当接するように配置される。
【００６１】
こうして、下地金物１００は、左右方向に並んだ２つの外壁面材の間（より詳細には、２つの下側下地板４１ａの間、及び２つの上側下地板４２ａの間）を跨るように配置される。したがって、２つの下側下地板４１ａの間、及び２つの上側下地板４２ａの間は、下地金物１００の背後に配置される。すなわち、下地金物１００によって、２つの下側下地板４１ａの間、及び２つの上側下地板４２ａの間の隙間が塞がれる。
【００６２】
また、このように、下地金物１００によって、２つの下側下地板４１ａの間、及び２つの上側下地板４２ａの間の隙間が塞がれた場合、２つの胴差面材４３の間も下地金物１００によって塞がれることとなる（図３参照）。すなわち、２つの胴差面材４３の間が下地金物１００によって塞がれると、２つの胴差面材４３の間の目地が下地金物１００によって塞がれる。こうして、２つの胴差面材４３の間の目地を下地金物１００によって塞ぐことにより、例えば火事の場合であっても、下地金物１００によって炎の侵入を抑制することができる。こうして、防火性能の向上を図ることができる。
【００６３】
なお、２つの胴差面材４３の間の目地を下地金物１００によって塞ぐ場合、当該目地の前方には、下地金物１００の膨出部１４０が配置される。こうして、膨出部１４０により下地金物１００の膨出部１４０と目地との互いの位置を容易に合わせることができるので、２つの胴差面材４３の間を下地金物１００によって確実に塞ぐことができる。
【００６４】
なお、下地金物１００の上端部の直ぐ上方には、上外壁面材４１の下端部が配置される。また、下地金物１００の下端部の直ぐ下方には、下外壁面材４２の上端部が配置される。
【００６５】
また、下地金物１００は、ネジ孔１５０に前方からネジ１５１が挿通されることとによって、下外壁面材４２の上側下地板４２ａに固定される。このように、下地金物１００は、下端部が下外壁面材４２の上側下地板４２ａに固定されることにより、取り付けられる。
【００６６】
以上のように、上述の如き取付（防火）構造により、パネル支持部３２の四方に下地金物１００が配置されることとなる。すなわち、例えば火事の場合であっても、下地金物１００によってパネル支持部３２と外壁部材４０との隙間から炎の侵入を抑制することができる。こうして、防火性能の向上を図ることができる。
【００６７】
なお、下地金物１００は、防火性能の向上を図るためでなく、シーリング用の下地金物を兼ねている。ここで、図１１は、外壁構造１の目地にシーリングを施した状態の一例を示す図である。図１１においては、シーリングを施した部分に色を付している。図１１に示すように、下地金物１００はパネル支持部３２の四方を囲んでいるため、当該パネル支持部３２の周囲であってもシーリングを施すことができる。なお、下地金物１００の上部については、庇３０の屋根パネル３３の直ぐ下方に位置する関係上、シーリングを施すためのシーリングガンの吐出口が届かない場合がある。このような場合には、図１１に示すように、下地金物１００の上部にシーリングを施さないこととしてもよい。このように、下地金物１００を用いることにより、外壁構造１の状況に応じた任意の場所にシーリングを施すことが可能となる。
【００６８】
以上の如く、本実施形態に係る下地金物１００は、
外壁から突出するパネル支持部３２（腕木）に装着可能な下地金物１００であって、
前記パネル支持部３２（腕木）を周方向に囲繞する略環状に形成され、
前記パネル支持部３２（腕木）に装着された状態において前記パネル支持部３２（腕木）に挿通される切欠き部１１０と、
前記切欠き部１１０の内縁と前記下地金物１００の外縁とを連通するスリット部１２０と、
を具備するものである。
【００６９】
このような構成により、パネル支持部３２（腕木）に装着された状態において前記パネル支持部３２の四方を囲むことができる。こうして、前記パネル支持部３２の防火性能の向上を図ることができる。
【００７０】
また、前記スリット部１２０は、
前記パネル支持部３２（腕木）に装着された状態において、前記パネル支持部３２（腕木）の上方に位置するように形成されているものである。
【００７１】
このような構成により、パネル支持部３２（腕木）の下方から前記パネル支持部３２に装着することができる。具体的には、本実施形態のパネル支持部３２のように、上方からの取り付けが難しい場合であっても、当該パネル支持部３２の下方から下地金物１００を装着することができる。
【００７２】
また、前記パネル支持部３２（腕木）に装着された状態において、前記パネル支持部３２（腕木）に支持可能な支持部１３０をさらに具備するものである。
【００７３】
このような構成により、パネル支持部３２（腕木）に装着する際に、下地金物１００をパネル支持部３２に支持させることができる。こうして、パネル支持部３２に装着する際の作業効率を向上させることができる。
【００７４】
また、前記スリット部１２０の幅は、
前記パネル支持部３２（腕木）の幅よりも小さく形成されているものである。
【００７５】
このような構成により、パネル支持部３２（腕木）に装着する際に、下地金物１００をパネル支持部３２に支持させると共に、支持させた状態からの脱落を抑制することができる。こうして、パネル支持部３２に装着する際の作業効率を向上させることができる。
【００７６】
また、シーリング用の下地金物１００を兼ねるものである。
【００７７】
このような構成により、パネル支持部３２（腕木）の四方にシーリングを施すことができる。
【００７８】
また、本実施形態に係る下地金物１００の防火構造は、
外壁から突出するパネル支持部３２（腕木）に装着可能な下地金物１００を具備し、
前記パネル支持部３２（腕木）は、前記外壁の目地から突出し、
前記下地金物１００は、前記パネル支持部３２（腕木）に装着された状態において、前記パネル支持部３２（腕木）の周囲の目地を覆うように配置されているものである。
【００７９】
このような構成により、パネル支持部３２の防火性能の向上を図ることができる。
【００８０】
また、外壁から突出するパネル支持部３２（腕木）に装着可能な下地金物１００であって、
前記パネル支持部３２（腕木）を周方向に囲繞する略環状に形成され、
前記パネル支持部３２（腕木）に装着された状態において前記パネル支持部３２（腕木）に挿通される切欠き部１１０と、
前記切欠き部１１０の内縁と前記下地金物１００の外縁とを連通するスリット部１２０と、
を具備する前記下地金物１００を前記パネル支持部３２（腕木）に装着する装着方法であって、
前記下地金物１００を弾性変形させて前記スリット部１２０を挟んだ一側部と他側部とを互いに離間する方向へ移動させる第一の工程（ステップＳ１０２）と、
前記スリット部１２０を介して前記パネル支持部３２（腕木）を前記切欠き部１１０内へと案内する第二の工程（ステップＳ１０３）と、
前記切欠き部１１０内に前記パネル支持部３２（腕木）を挿通させた状態で前記下地金物１００を弾性変形させる前の状態に戻す第三の工程（ステップＳ１０４）と、
を具備するものである。
【００８１】
このような構成により、パネル支持部３２（腕木）に装着された状態において前記パネル支持部３２の四方を囲むことができる。こうして、前記パネル支持部３２の防火性能の向上を図ることができる。
【００８２】
なお、パネル支持部３２は、腕木の実施の一形態である。
【００８３】
以上、一実施形態を説明したが、本発明は上記構成に限定されるものではなく、特許請求の範囲に記載された発明の範囲内で種々の変更が可能である。
【００８４】
例えば、パネル支持部３２の構成は、実施形態のものに限定しない。すなわち、腕木とは、庇の腕木に限定されず、例えばバルコニーの腕木等、壁から突出する腕木全般に適用できるものである。また、腕木が設けられる壁とは、外壁だけでなく任意の壁状の構造物を採用することができる。
【００８５】
また、スリット部の場所は、切欠き部の左上端部に限定するものではなく、例えば切欠き部の右上端部等、任意の場所を採用することができる。
【００８６】
また、下地金物１００は、膨出部１４０を具備しなくてもよい。その場合、下地金物１００は、膨らんだ部分がない略平らな部材として構成することができる。また、下地金物は、専らシーリングの下地として使用される場合でも適用可能である。
【００８７】
また、前記住宅としては、集合住宅、戸建住宅等の種々の住宅が想定される。また、前記建物は、例えばオフィスビルや病院等の住宅以外の建物であってもよい。
【符号の説明】
【００８８】
３２      パネル支持部
１００    下地金物
１１０    切欠き部
１２０    スリット部
【図１】
2018053656.tif 000003
【図２】
2018053656.tif 000004
【図３】
2018053656.tif 000005
【図４】
2018053656.tif 000006
【図５】
2018053656.tif 000007
【図６】
2018053656.tif 000008
【図７】
2018053656.tif 000009
【図８】
2018053656.tif 000010
【図９】
2018053656.tif 000011
【図１０】
2018053656.tif 000012
【図１１】
2018053656.tif 000013